(57)【要約】【課題】ワンタッチでテントシート１を滑落収縮させる。【解決手段】両側縁に可撓丸棒１ｔが装着されたテントシート１と、テントの棟から軒先方向に設けられてテントシート１の可撓丸棒１ｔを滑動自由に抱き込んで支持する溝を有するレール２と、テントの軒桁の上にテントシート１を支持するように設けられたローラー３と、テントシート１の軒先部分になる下端部が取り付けられてテントシート１が引き上げられたときテントシート１を引き下ろす傾向の力が加わるように軒柱８に回動自由に取り付けられた引き下ろし手段４と、テントシート１の上端部に連結されてテントシート１を引き上げるように設けられた引き上げ力解放手段７６を有する引き上げ装置７とを具備する。【選択図】        図１
2004332214.tif 000002
【特許請求の範囲】
【請求項１】
両側縁に可撓丸棒１ｔが装着されたテントシート１と、テントの棟から軒先方向に設けられて前記テントシート１の前記可撓丸棒１ｔを滑動自由に抱き込んで支持する溝を有するレール２と、テントの軒部に前記テントシート１を支持するように設けられたローラー３と、前記テントシート１の軒先部分になる下端部が取り付けられて前記テントシート１が引き上げられたとき前記テントシート１を引き下ろす傾向の力が加わるように設けられた引き下ろし手段４と、前記テントシート１の上端部に連結されて前記テントシート１を引き上げるように設けられた引き上げ力解放手段７６を有する引き上げ装置７とを具備したことを特徴とするテント展縮装置。
【請求項２】
両側縁に可撓丸棒１ｔが装着されたテントシート１と、テントの棟から軒先方向に設けられて前記テントシート１の前記可撓丸棒１ｔを滑動自由に抱き込んで支持する溝を有するレール２と、テントの軒部に前記テントシート１を支持するように設けられたローラー３と、前記テントシート１の軒先部分になる下端部が取り付けられて前記テントシート１が引き上げられたとき前記テントシート１を引き下ろす傾向の力が加わるように軒柱８に回動自由に取り付けられた引き下ろし手段４と、前記テントシート１の上端部に連結されて前記テントシート１を引き上げるように設けられた引き上げ力解放手段７６を有する引き上げ装置７とを具備したことを特徴とするテント展縮装置。
【請求項３】
前記引き下ろし手段４の引き下ろし力は、この引き下ろし手段４に加わる重力を利用した請求項１又は請求項２に記載のテント展縮装置。
【請求項４】
前記引き下ろし手段４の引き下ろし力は、スプリングの力を利用した請求項１又は請求項２に記載のテント展縮装置。
【請求項５】
前記引き下ろし手段４は、前記引き上げ装置７の引き上げ力解放手段を解放して前記テントシート１を滑落させたとき落下するテントシート１を受け入れるように形成されていることを特徴とする請求項１又は請求項２に記載のテント展縮装置。
【発明の詳細な説明】
【０００１】
【発明が属する技術分野】
この発明は、テントシートを引き上げ展開して屋根状のテントを形成し、また、展開したテントシートを引き下ろし収縮する手段に関するものである。
【０００２】
【従来の技術】
従来の展縮可能な屋根状のテントにおけるテントシートの展開収縮は、手動又は電動により、テントシートを引き上げて展開し、引き下ろして収縮または取り外すというような手段とか、テントシートを巻き出して展開し、巻き込んで収縮するというような手段などが採用されている。
【０００３】
【発明が解決しようとする課題】
上記のような従来のテント展縮手段では、テントシートを引き上げる、引き下ろす、巻き出す、巻き込む、というような操作が必要である。引き上げるとか巻き上げるという操作が必要であることはやむをえないが、テントシートを引き下ろすとか巻きおろすというような操作をワンタッチで一気に済ましてテントを開けることができれば、災害時など急を要するときに特に望ましい。
【０００４】
この発明は上記のような課題を解決するためになされたもので、テントシートを下ろして収縮する操作を、ワンタッチで一気に行うことができるテント展縮装置を提供することを目的とする。
【０００５】
【課題を解決するための手段】
この発明によるテント展縮装置は、両側縁に可撓丸棒１ｔが装着されたテントシート１と、テントの棟から軒先方向に設けられてテントシート１の可撓丸棒１ｔを滑動自由に抱き込んで支持する溝を有するレール２と、テントの軒部にテントシート１を支持するように設けられたローラー３と、テントシート１の軒先部分になる下端部が取り付けられてテントシート１が引き上げられたときテントシート１を引き下ろす傾向の力が加わるように設けられた引き下ろし手段４と、テントシート１の上端部に連結されてテントシート１を引き上げるように設けられた引き上げ力解放手段７６を有する引き上げ装置７とを具備したものである。
【０００６】
この発明によるテント展縮装置によるテントシート１を引き下ろして収縮するときは、引き上げ装置７の引き上げ力解放手段７６を解放すれば、テントシート１にかかっていた引き上げ力がなくなり、テントシート１は、引き下ろし手段４による引き下ろし力によって引き下ろされ、レール２の溝の中で滑動する可撓丸棒１ｔによって、レール２が設けられた棟から軒先の方向に滑落する。すなわち、引き上げ力を解放するという一挙動によりテントシート１を滑落させて収縮させることができる。
【０００７】
また、この発明によるテント展縮装置の引き下ろし手段４は、テントシート１を滑落させたとき落下するテントシート１を受け入れるように形成されたものである。
【０００８】
この発明によるテント展縮装置の引き下ろし手段４が、落下するテントシート１を受け入れるように形成されていれば、テントシート１を収納する手間がかからない。また、テントシート１を引き上げ展開するときも、直ちに引き上げ操作を行ってテントシート１を展開することができる。
【０００９】
【発明の実施の形態】
以下、この発明の実施の形態を図について説明する。図１乃至図３はこの発明によるテント展縮装置の一実施例を示し、図１は模式的に示した図であり、（Ａ）は側面図、（Ｂ）はＢ−Ｂ断面図である。図２は展開状態から収縮状態の過程を示す図、図３は斜め俯瞰図である。
【００１０】
図において、１はテントシート、１ｔは可撓丸棒、２はレール、３は軒ローラー、４は引き下ろし手段、４８はヒンジ、５はテントシート上端材、６は棟カバー、７は引き上げ装置、７２は引き上げ索、７６はインターロック、８は軒柱である。
【００１１】
図３に示すように、この発明によるテント展縮装置のテントシート１は屋根状に展開してテントを形成するものである。棟カバー６の下にある図示しない棟材から図示しない軒桁材の間に、屋根の傾斜方向に複数本のレール２が並べて設けられており、このレール２の間に張り渡されたテントシート１が、レール２に誘導されて昇降し、展開収縮される。軒柱８の上端に乗せて渡されている図示しない軒桁の上にはテントシート１を昇降自由に支持する軒ローラー３が設けられている。軒端の下部にはヒンジ４８により軒柱８に回動自由に後述の引き下ろし手段４が設けられている。
【００１２】
図３において、強度上などの必要があれば、レール２を支持するように、傾斜方向又は横方向に図示しない桁材などの支持部材を設ける。また、テントシート１の幅が広い場合は、テントシート１がレール２の間で垂れ下がらないように、テントシート１が擦れて傷まないように滑動自由に支持する中間受け材２５を棟材から軒桁材に渡して設けてもよい。中間受け材２５としては鋼管，アルミ管，軽量Ｉ形鋼，不捻索又はベルトなどを採用することができる。テントシート１が摩耗せず滑りやすいように、中間受け材２５の上面にポリエチレン，フェノール樹脂，ポリアミド，フッ素樹脂などを付着させてもよい。必要があれば、中間受け材を支持する支持部材を設ける。
【００１３】
図１（Ｂ）に示すように、レール２はアルミ合金などの押し出し型材であり、両側に滑らかに形成された狭い開口の溝が形成されている。テントシート１の両側縁には可撓丸棒１ｔが取り付けられており、可撓丸棒１ｔは、レール２の滑らかな溝の狭い開口部で支持され、レール２の滑らかな溝の中で滑動自由である。可撓丸棒１ｔは天然又は合成ゴムの丸棒を布で堅く被覆してテントシート１の両側縁に取り付けたものである。可撓丸棒１ｔは連続でもよく、屈曲性をよくするため断続的に取り付けてもよい。
【００１４】
図１（Ａ）に示すように、テントシート１の上端辺にはテントシート上端材５が取り付けられている。テントシート上端材５は力がかかってもあまり曲がらない程度の小径の鋼管かアルミ管などとする。このテントシート上端材５に引き上げ索７２が取り付けられており、引き上げ索７２は固定滑車７３を介して引き上げ装置７のウインチドラム７１に接続されている。図１（Ａ）には引き上げ装置７を模式的に示したが、ウインチドラム７１を回すハンドル７５には、ハンドル７５をウインチドラム７１にロックするインターロック７６と、ハンドル７５を固定枠７４にロックするハンドルロック７７とが設けられている。
【００１５】
図１（Ａ）に示すように、軒柱８の上端の軒桁材の上には軒桁材の方向に軒ローラー３が設けられている。軒ローラー３はテントシート１を桁材などに接触させないように円滑に移動させるように支持するものである。
【００１６】
図１（Ａ）に示すように、軒柱８にはヒンジ４８を介して回動自由に引き下ろし手段４が設けられている。図では、引き下ろし手段４の形状は「く」字状であり、複数の同じ形状ののものが図の紙面に垂直の方向に並べられて三角の箱又は篭状に形成されている。引き下ろし手段４は図の実線で示す状態から二点鎖線で示す状態まで、ヒンジ４８に支持されて回動自由である。テントシート１の下端部は引き下ろし手段４の外側に取り付けられている。なお、引き下ろし手段４の形状は、図示の形状に限定されず、いかなる形状でもよいが、図の実線で示す状態で引き下ろし手段４に取り付けられたテントシート１が軒の庇の役目をするようになり、二点鎖線で示す状態ではテントシート１が引き下ろし手段４の中に収まるような形状にすることが好ましい。なお、引き下ろし手段４は、ある程度の重量を有しており、これにかかる重力により、図の実線で示す状態から二点鎖線で示す状態になろうとして、テントシート１を引き下ろす傾向の力がかかり、テントシート１の上端が引き上げられている状態では、テントシート１はピンと張った状態となる。
【００１７】
次に、このテント展縮装置の動作について説明する。図２（Ｄ）に示すように下ろされているテントシート１を、図２（Ａ）又は図１（Ａ）に示す状態にテントシート１を引き上げて展開するときは、図１（Ａ）において、引き上げ装置７のインターロック７６をオンとし、ハンドルロック７７をオフとしてハンドル７５を図の時計方向に回せば、ウインチドラム７１は引き上げ索７２を巻き込み、引き上げ索７２は固定滑車７３を経てテントシート上端材５を介してテントシート１を引き上げる。テントシート１は可撓丸棒１ｔがレール２の溝に滑り誘導されて引き上げられる。図１（Ａ）に示す状態になったところで、ハンドルロック７７をオンにしてハンドル７５を固定枠７４にロックすれば、ウインチドラム７１はインターロック７６でハンドル７５にロックされているので、ウインチドラム７１は固定されて、テントシート１は、図１（Ａ）又は図２（Ａ）に示す状態（テント展開状態）に保持される。
【００１８】
図２（Ａ）又は図１（Ａ）に示すテント展開状態になっているテントシート１を引き下ろすときは、図１（Ａ）において、引き上げ装置７のインターロック７６をオフとしてウインチドラム７１のロックをはずせば、ウインチドラム７１はフリーとなり、引き上げ索７２の張力がなくなる。すると、引き下ろし手段４は自己の重さ又は付加した重りにかかる重力により、ヒンジ４８を中心として図の反時計方向に回転して下方に下がり、引き下ろし手段４に取り付けられているテントシート１も引き下ろし手段４に引き下ろされ、可撓丸棒１ｔがレール２の溝に滑り誘導されて、テントシート１は滑落し、図２（Ｂ）に示す状態を経て、図２（Ｃ），（Ｄ）又は図１（Ａ）の二点鎖線で示す状態になる。滑落したテントシート１は、図２（Ｄ）に示すように、引き下ろし手段４の中に受け入れられる。なお、テントシート１を滑落させるとき、引き下ろし手段４の引き下ろし力である程度の速力がつけばあとは慣性により滑落が継続する。
【００１９】
以上の説明では、テントシート１の引き下ろし力として、引き下ろし手段４自身又は付加した重りの重量にかかる重力を利用するとしたが、この引き下ろし力は、スプリングの力を利用することもでき、前記重力とともにスプリングの弾性力を利用することができる。図示していないが、利用するスプリングとしては、引き下ろし手段４を引き下げるように設けた引っ張りばね，押し下げるように設けた圧縮ばね，引き下ろし手段４を図２の反時計方向に回転させる傾向の力が加わるように設けたコイルばね等、すべて利用することができる。
【００２０】
以上の図及び説明では、引き下ろし手段４はヒンジ４８で回動自由に軒柱８に取り付けられているとしたが、例えば、図示していないが、軒柱８に沿って自由に昇降することができる自由昇降部材を設け、この自由昇降部材にヒンジ４８を取り付けることにすれば、引き下ろし手段４の引き下ろし行程は、引き下ろし手段４の前記回転によるものと上記自由昇降部材の降下によるものとを加えたものとなり、それにつれて、引き下ろし速度も速く、よりスムースに引き下ろされることになる。
【００２１】
なお、図１（Ａ）に示した引き上げ装置７は模式的に記載したものであり、駆動力として、図では手動のものを示したが、電動などとしても勿論よい。インターロック７６やハンドルロック７７なども種々のものがあり、ピンの抜き差しというような単純なものの他、電磁的なオン・オフ機構を採用すれば遠隔操作が可能となる。
【００２２】
なお、テントの屋根状の傾斜角度は、テントシート１の滑落のしやすさによって決まるが、概ね３０度以上であればよい。ただし、前記のように、ヒンジ４８が軒柱８に固定されたものでなく軒柱８に沿って昇降自由であり、軒柱８に沿って落下するようにされた行程の大きな引き下ろし手段４を採用した場合とか、引き下ろし力を強力にした場合などには、屋根の傾斜は小さくてよい。また、傾斜角度は一定でなくてもよく、例えば、上部は急で下部は緩、あるいは、上部は緩で下部は急な傾斜で、曲線になっていてもよい。
【００２３】
【発明の効果】
以上説明したようにこの発明によるテント展縮装置では、引き上げ装置７のインターロック７６をオフにするというワンタッチ操作で、直ちに、引き下ろし手段４によって、テントシート１が滑落収縮してテントが開けられるので、きわめて便利であり、災害時などには特に有用である。また、落下したテントシート１が引き下ろし手段４の中に収まるようにすれば取り扱いが便利である。
【図面の簡単な説明】
【図１】この発明によるテント展縮装置の模式図であり、（Ａ）は側面図、（Ｂ）は図示箇所の断面図である。
【図２】この発明によるテント展縮装置の動作説明図であり、（Ａ）は展開状態を示す図、（Ｂ）は滑落途中の状態を示す図、（Ｃ）は滑落状態を示す図、（Ｄ）は滑落終了状態を示す図である。
【図３】この発明によるテント展縮装置の斜め鳥瞰図である。
【符号の説明】
１：テントシート、  １ｔ：可撓丸棒、
２：レール、  ２５：中間受け材、
３：軒ローラー、
４：引き下ろし手段、  ４８：ヒンジ、
５：テントシート上端材、
７：引き上げ装置、
７１：ウインチドラム、  ７２：引き上げ索、
７４：固定枠、  ７５：ハンドル、
７６：インターロック、  ７７：ハンドルロック、
８：軒柱。
【図１】
2004332214.tif 000003
【図２】
2004332214.tif 000004
【図３】
2004332214.tif 000005